(57)【要約】      （修正有）【課題】浮き輪の表面の形状を水に対して抵抗の大きい形状にすることにより、筋力トレーニングやリハビリトレーニングに効果の高い浮き輪を提供すること。また、海の波打際において使用しても、波に流され難い浮き輪を提供する。【解決手段】複数のフロート部が環状に連設されて形成される浮き輪であって、上記フロート部は、中心部が厚さ方向両側へ膨出する所定の厚さ寸法を有する円盤状に形成され、上記中心部において厚さ方向に連設されている。【選択図】図１
0003142642.tif 000002
【実用新案登録請求の範囲】
【請求項１】
複数のフロート部が環状に連設されて形成される浮き輪であって、上記フロート部は、中心部が厚さ方向両側へ膨出する所定の厚さ寸法を有する円盤状に形成され、上記中心部において厚さ方向に連設されていることを特徴とする浮き輪。
【請求項２】
上記フロート部は、平面形状は、長軸方向の中央部が短軸方向における反対方向へ互いに膨出する楕円形に形成されると共に断面形状は円形に形成されていることを特徴とする請求項１記載の浮き輪。
【請求項３】
上記各フロート部の間に形成される空隙は鋭角を以って形成されていることを特徴とする請求項１又は２記載の浮き輪。
【請求項４】
上記複数のフロート部は、上記中心部に形成される接合部において互いに接合されることにより全ての上記複数のフロート部の内部が連通して、全体として１つの袋状に形成されていることを特徴とする請求項１〜３のいずれか１項に記載の浮き輪。
【請求項５】
上記フロート部は、シート状の円形ドーナツ状に形成された同一形状の２つのハーフ体形成部により形成され、
上記２つのハーフ体形成部の外周縁全域が夫々固定されることにより、２つのハーフ体からなる上記フロート部が形成され、
上記接合部は、上記ハーフ体形成部の内周縁により形成され、
上記各フロート部が上記接合部において互いに接合されることにより上記複数のフロート部が連設されていることを特徴とする請求項４記載の浮き輪。
【請求項６】
上記フロート部が１２個であることを特徴とする請求項１〜５のいずれか１項に記載の浮き輪。
【考案の詳細な説明】
【技術分野】
【０００１】
本考案は、浮き輪に係り、特に、水の抵抗を強く受ける形状にすることにより、筋力トレーニングやリハビリトレーニングに効果的であり、海の波打際において使用しても、波に流され難い浮き輪に関する。
【背景技術】
【０００２】
従来から、浮き輪は、平面円形ドーナツ状に形成されると共に、円周方向全域に亘って縦断面円形状に形成され、水遊びや水泳の練習に使用されている。
そして、従来の浮き輪は、水遊びや水泳の練習に使用されるものが多いことから、プール等でスムーズに前進できるように表面に凹凸は形成されておらず、水に対する抵抗が少ないものであった。
しかしながら、水に対する抵抗が大きい浮き輪であれば、プール等で前進する際の障害となり、筋力トレーニングに使用できる。
特に、リハビリトレーニングは、身体への負担が少ない水中での運動により行われることが多いことから、水に対する抵抗が大きい浮き輪であればリハビリトレーニングに、より効果的に使用できる。
また、従来の浮き輪においては表面に凹凸が形成されていないことから、海の波打際において使用した場合に、波の表面に浮き輪が乗ってしまい、波が引く際に波に流され易いという問題がある。
しかしながら、海の波打際において使用した場合に、波の表面に乗り難い浮き輪があれば、波が引く際に波に流され難い。
一方、従来から、浮き輪は、外観上、ファッション性に乏しいことから、樹脂製の球状のボールを数珠繋ぎに溶着して環状とした浮き輪に関する技術が提案されている（特許文献１）。
しかしながら、特許文献１には、外観に美感を持たせるために複数の球状のフロート部を繋げて環状に構成され、複数のフロート部は球状に形成されていることから、一方のフロート部の外表面と隣接する他方のフロート部の外表面との間に形成される間隙部は緩やかな斜面を以って形成されるため、浮き輪全体の水に対する抵抗は少ない。
【０００３】
【特許文献１】実開平３−１２２８６４号
【考案の開示】
【考案が解決しようとする課題】
【０００４】
本考案は、浮き輪の表面の形状を水に対して抵抗の大きい形状にすることにより、筋力トレーニングやリハビリトレーニングに効果の高い浮き輪を提供することにある。
また、海の波打際において使用した場合に、波が引く際に波に流され難い浮き輪を提供することにある。
【課題を解決するための手段】
【０００５】
上記課題を解決するために、請求項１記載の考案にあっては、複数のフロート部が環状に連設されて形成される浮き輪であって、上記フロート部は、中心部が厚さ方向両側へ膨出する所定の厚さ寸法を有する円盤状に形成され、上記中心部において厚さ方向に連設されていることを特徴とする。
従って、フロート部は、中心部が厚さ方向両側へ膨出する所定の厚さ寸法を有する円盤状に形成され、上記中心部において厚さ方向に連設されているので、上記各フロート部の間には空隙が形成される。
【０００６】
請求項２記載の考案にあっては、上記フロート部は、平面形状は、長軸方向の中央部が短軸方向における反対方向へ互いに膨出する楕円形に形成されると共に断面形状は円形に形成されていることを特徴とする。
従って、上記フロート部は、平面形状は、長軸方向の中央部が短軸方向における反対方向へ互いに膨出する楕円形に形成されると共に断面形状は円形に形成されているので、上記各フロート部の間に形成される空隙は急斜面を以って形成されている。
【０００７】
請求項３記載の考案にあっては、上記各フロート部の間に形成される空隙は鋭角を以って形成されていることを特徴とする。
【０００８】
請求項４記載の考案にあっては、上記複数のフロート部は、上記中心部に形成される接合部において互いに接合されることにより全ての上記複数のフロート部の内部が連通して、全体として１つの袋状に形成されていることを特徴とする。
従って、上記フロート部の一箇所から空気を導入することにより、膨らませて浮き輪を形成することができる。
【０００９】
請求項５記載の考案にあっては、上記フロート部は、シート状の円形ドーナツ状に形成された同一形状の２つのハーフ体形成部により形成され、上記２つのハーフ体形成部の外周縁全域が夫々固定されることにより、２つのハーフ体からなる上記フロート部が形成され、上記接合部は、上記ハーフ体形成部の内周縁により形成され、上記各フロート部が上記接合部において互いに接合されることにより上記複数のフロート部が連設されていることを特徴とする。
従って、上記フロート部は、シート状の円形ドーナツ状に形成された同一形状の２つのハーフ体形成部により形成されているので、簡易な構成である。
【００１０】
請求項６記載の考案にあっては、上記フロート部が１２個であることを特徴とする。
従って、１２個のフロート部が環状に連設されて浮き輪は形成され、上記各フロート部の間に形成された空隙は浮き輪全体として１２個である。
【考案の効果】
【００１１】
請求項１記載の考案にあっては、フロート部は、中心部が厚さ方向両側へ膨出する所定の厚さ寸法を有する円盤状に形成され、上記中心部において厚さ方向に連設されることにより、上記各フロート部の間には空隙が形成されるので、浮き輪全体の水に対する抵抗が大きく、上記フロート部が水の入力に対して障害となることから、筋力トレーニングやリハビリトレーニングに効果の高い浮き輪を提供することができる。
また、上記各フロート部の間の下方においても空隙が形成されていることから、海の波打際において使用した場合に、上記空隙に海水が入り込み、水流に対する抵抗が大きいので、波の表面に乗り難く、波が引く際の波に流され難い浮き輪を提供することができる。
【００１２】
請求項２記載の考案にあっては、上記フロート部は、平面形状は、長軸方向の中央部が短軸方向における反対方向へ互いに膨出する楕円形に形成されると共に断面形状は円形に形成されることにより、上記各フロート部の間に形成される空隙は急斜面を以って形成されているので、浮き輪全体の水に対する抵抗が大きく、上記フロート部が水の入力に対して障害となることから、筋力トレーニングやリハビリトレーニングに効果の高い浮き輪を提供することができる。
また、上記各フロート部の間の下方においても急斜面を以って形成された空隙が形成されていることから、海の波打際において使用した場合に、上記空隙に海水が入り込み、水流に対する抵抗が大きいので、波の表面に乗り難く、波が引く際の波に流され難い浮き輪を提供することができる。
【００１３】
請求項３記載の考案にあっては、上記各フロート部の間に形成される空隙は鋭角を以って形成されていることから、より浮き輪全体の水に対する抵抗は大きいので、より上記フロート部が水の入力に対して障害となることから、より筋力トレーニングやリハビリトレーニングに効果の高い浮き輪を提供することができる。
また、上記各フロート部の間の下方においても鋭角を以って形成された空隙が形成されていることから、海の波打際において使用した場合に、より上記空隙に海水が入り込み、水流に対する抵抗が大きいので、より波の表面に乗り難く、より波が引く際の波に流され難い浮き輪を提供することができる。
【００１４】
請求項４記載の考案にあっては、上記フロート部の一箇所から空気を導入させて膨らませることにより、浮き輪を形成することができるので、容易に浮き輪を形成することができると共に使用しない場合には容易に空気を抜くことができ、取り扱いが容易である浮き輪を提供することができる。
【００１５】
請求項５記載の考案にあっては、上記フロート部は、シート状の円形ドーナツ状に形成された同一形状の２つのハーフ体形成部により形成されていることから、簡易な構成であるので、製造コストを低減しうる浮き輪を提供することができる。
【００１６】
請求項６記載の考案にあっては、１２個のフロート部が環状に連設されて浮き輪は形成され、上記各フロート部の間に形成された空隙は浮き輪全体として１２個形成されているので、上記フロート部が水の入力に対して障害となりうる適度な上記空隙を有していると共に浮き輪としての機能を損なうことなく環状に形成された浮き輪を提供することができる。
【考案を実施するための最良の形態】
【００１７】
以下、図面を用いて本考案の実施の形態について説明する。
図１に示すように、本実施の形態に係る浮き輪１０は、複数のフロート部１１が環状に連設されて形成される浮き輪１０であって、図２に示すように、上記フロート部１１は、中心部１２が厚さ方向両側へ膨出する所定の厚さ寸法を有する円盤状に形成され、上記中心部１２において厚さ方向に連設されている。
また、図３（ａ）に示すように、上記フロート部１１は、平面形状は、長軸１３方向の中央部１４が短軸１５方向における反対方向へ互いに膨出する楕円形に形成されると共に、図３（ｂ）に示すように、断面形状は円形に形成されている。
また、図２に示すように、上記各フロート部１１の間に形成される空隙１６は鋭角を以って形成されている。
また、図３（ａ）に示すように、上記複数のフロート部１１は、上記中心部１２に形成される接合部１７において互いに接合されることにより全ての上記複数のフロート部１１の内部が連通して、全体として１つの袋状に形成されている。
また、図４（ａ）及び（ｂ）に示すように、上記フロート部１１は、シート状の円形ドーナツ状に形成された同一形状の２つのハーフ体形成部１８ａ，１８ｂにより形成され、上記２つのハーフ体形成部１８ａ，１８ｂの外周縁１９ａ，１９ｂ全域が夫々固定されることにより、図１に示すような、２つのハーフ体２０ａ，２０ｂからなる上記フロート部１１が形成され、図３（ａ）に示すような上記接合部１７は、図４（ａ）及び（ｂ）に示すように、上記ハーフ体形成部１８ａ，１８ｂの内周縁２１ａ，２１ｂにより形成され、上記各フロート部１１が上記接合部１７において互いに接合されることにより上記複数のフロート部１１が連設されている。
また、図１に示すように、上記フロート部１１が１２個であるように構成されている。
【実施例】
【００１８】
以下に、図面を用いて本実施例について詳細を説明する。
図１に示すように、本実施例に係る浮き輪１０は、樹脂製シートにより形成された同形状の１２個のフロート部１１が同一平面上に環状に連設されることにより形成されて、人の胴部を挿通しうる空隙２６が平面中央部に形成されている。
また、図２に示すように、上記フロート部１１は、中心部１２が厚さ方向両側へ略均等に膨出する所定の厚さ寸法を有する円盤状に形成され、上記各フロート部１１は上記中心部１２に形成される接合部１７において互いに溶着されて接合されている。
また、図３（ａ）に示すように、上記フロート部１１は、平面形状は、長軸１３方向の中心部１４が短軸１５方向における反対方向へ互いに膨出する楕円形に形成されることにより、浮き輪１０として形成された際に、長軸１３は浮き輪１０の径方向に沿って配置され、短軸１４は浮き輪１０の周方向に沿って配置されている。
また、図３（ｂ）に示すように、上記フロート部１１の断面形状は、左右端部に配置されるフロート部１１ａ、１１ｂのように、円形に形成されている。
また、図２に示すように、各フロート部１１の間には、空隙１６が形成され、上記浮き輪１０の外周面においては、上記空隙１６は、一方のフロート１１に形成された浮き輪１０の外周面から内側方向へ傾斜する傾斜面部２２ａと、隣接する他方のフロート部１１に形成された浮き輪１０の外周面から内側方向へ傾斜する上記接合部１７に対して上記傾斜面部２２ａと対称に形成された傾斜面部２２ｂとが互いに接合され、浮き輪１０の外周面において内側に凹む平面Ｖ形の鋭角に形成されている。
また、同様に、上記浮き輪１０の下面においては、図３（ｂ）に示すように、上記フロート１１ｃ，１１ｄの間の空隙１６ｂは、一方のフロート１１ｃに形成された浮き輪１０の下面から上側方向へ傾斜する傾斜面部２３ａと、隣接する他方のフロート部１１ｄに形成された浮き輪１０の下面から上側方向へ傾斜する上記接合部１７に対して上記傾斜面部２３ａと対称に形成された傾斜面部２３ｂとが互いに接合され、浮き輪１０の下面において上側に凹む側面Ｖ形の鋭角に形成されている。
また、同様に、上記浮き輪１０の上面においては、図３（ｂ）に示すように、上記フロート１１ｃ，１１ｄの間の空隙１６ｃは、一方のフロート１１ｃに形成された浮き輪１０の上面から下側方向へ傾斜する傾斜面部２４ａと、隣接する他方のフロート部１１ｄに形成された浮き輪１０の上面から下側方向へ傾斜する上記接合部１７に対して上記傾斜面部２４ａと対称に形成された傾斜面部２４ｂとが互いに接合され、浮き輪１０の上面において下側に凹む側面Ｖ形の鋭角に形成されている。
【００１９】
また、図３（ａ）に示すように、１２個のフロート部１１は、上記中心部１２に形成される接合部１７において互いに接合されることにより全ての上記１２個のフロート部１１の内部が連通して、全体として１つの袋状に形成されている。
また、図２に示すように、空気注入孔２５が浮き輪１０の一箇所に設けられている。
【００２０】
また、上記フロート部１１は、図１及び、図４（ａ）、（ｂ）に示すようなシート状の円形ドーナツ状に形成された同一形状の２つのハーフ体形成部１８ａ，１８ｂにより形成されている。
また、上記２つのハーフ体形成部１８ａ，１８ｂには、２つの同心円からなる外周縁１９ａ，１９ｂと内周縁２１ａ，２１ｂが形成されている。
また、上記２つのハーフ体形成部１８ａ，１８ｂは、上記外周縁１９ａ，１９ｂの全域を互いに溶着して固定することにより、図１に示すような、２つのハーフ体２０ａ，２０ｂからなる上記フロート部１１を形成しうるように構成されている。
一方、図４（ａ）及び（ｂ）に示すような上記２つのハーフ体形成部１８ａ，１８ｂは、上記２つのハーフ体形成部１８ａ，１８ｂに形成される内周縁２１ａ，２１ｂの全域を互いに溶着して固定することにより、図１に示すような接合部１７が形成され、上記接合部１７において一方のフロート部１１と隣接する他方のフロート部１１とを互いに接合しうるように構成されている。
そして、１２個の上記フロート部１１を接合部１７において接合して環状に連設することにより図１に示すような浮き輪１０が形成される。
【００２１】
以下、本実施例の作用について説明する。
図５に示すように、本実施例に係る浮き輪１０を筋力トレーニングやリハビリトレーニングに使用する場合には、上記浮き輪１０を人の胴部に装着して、プールの中に浸水する。
本実施例の場合、上記浮き輪１０は、両腕が浮き輪１０を押えていることから、その重量により上記浮き輪１０の略下側半分が水面に沈み込んでいる。
そして、筋力トレーニングやリハビリトレーニングを行う場合には、例えば、上記のように浮き輪１０を装着した状態のまま前進歩行する。
この場合、図２に示すように、上記浮き輪１０の各フロート１１の間には空隙１６が形成され、上記浮き輪１０の外周面においては、上記空隙１６は、一方のフロート１１に形成された浮き輪１０の外周面から内側方向へ傾斜する傾斜面部２２ａと、隣接する他方のフロート部１１に形成された浮き輪１０の外周面から内側方向へ傾斜する傾斜面部２２ｂとが互いに接合され、浮き輪１０の外周面において内側に凹む平面Ｖ形の鋭角に形成されていることから、図５に示すように前進歩行した場合には、前進方向に配置された上記フロート部１１において、上記傾斜面部２２ａ，２２ｂにより、水の入力Ａ，Ｂ，Ｃ，Ｄに対しての抵抗が大きい浮き輪１０となる。
また、前進方向に対し両端に配置されたフロート部１１においては、傾斜面部２２ａ，２２ｂが水の入力Ｆ，Ｇ，Ｈに対して対向するように配置されることから、水の入力Ｆ，Ｇ，Ｈに対しての抵抗が大きい浮き輪１０となる。
その結果、上記フロート部１１の表面に形成される傾斜面部２２ａ，２２ｂが水の入力Ａ，Ｂ，Ｃ，Ｄ，Ｅ，Ｆ，Ｇ，Ｈに対して障害となることから、筋力トレーニングやリハビリトレーニングに効果の高い浮き輪１０を提供することができる。
【００２２】
また、従来の浮き輪においては表面に凹凸が形成されていないことから、海の波打際において従来の浮き輪使用した場合に、水流に対する抵抗が低く、波の表面に浮き輪１０が乗ってしまい、波が引く際に波に流され易いという問題がある。
このような場合、図３（ｂ）に示すように、上記浮き輪１０の上記各フロート１１の間に形成された空隙１６及び下面に形成された空隙１６ｂに海水が入り込み、浮き輪１０の下面において上側に凹む側面Ｖ形の鋭角に形成されており、海の波打際において使用した場合に、水流に対する抵抗が大きいことから、従来の浮き輪と比して波の表面に浮き輪が乗ることを軽減でき、波が引く際の波に流され難い浮き輪１０を提供することができる。
【００２３】
また、図１に示すような１２個のフロート部１１が環状に連設されて形成されている浮き輪２０を製造する場合には、図４（ａ）及び（ｂ）に示すような２枚のハーフ体形成部１８ａ，１８ｂの外周縁１９ａ、１９ｂ同士を溶着固定して、上記外周縁１９ａ、１９ｂが溶着された２枚のハーフ体形成部１８ａ，１８ｂを一組のフロート部形成部として、十二組のフロート部形成部の内周縁２１同士を溶着固定して環状に形成する。
このように、同一形状の合計２４枚のハーフ体形成部１８ａ，１８ｂを使用することにより、図１に示すような上記浮き輪１０を製造することができる。
従って、本実施例に係る浮き輪１０は、シート状の円形ドーナツ状に形成された同一形状の２４枚のハーフ体形成部１８ａ，１８ｂにより形成されることから、簡易な構成であるので、製造コストを低減することができる。
【００２４】
また、図３（ａ）に示すように、１２個のフロート部１１は、上記中心部１２に形成される接合部１７において互いに接合されることにより全ての上記１２個のフロート部１１の内部が連通して、全体として１つの袋状に形成され、図２に示すように、空気注入孔２５が一箇所に設けられていることから、一箇所から空気を導入させて膨らませて浮き輪１０を形成することができ、容易に浮き輪１０を形成することができると共に使用しない場合には容易に空気を抜くことができ、取り扱いが容易である。
【００２５】
また、本実施例においては１２個のフロート部１１を環状に連設して形成した浮き輪１０を例に説明したが、上記フロート部１１の数は限定されない。
また、本考案に係る浮き輪１０は、上記フロート部１１や浮き輪１０全体の大きさに関しても限定されるものではなく、上記フロート部１１の数量や大きさ、浮き輪１０全体の大きさ等との関係により適宜形成することができる。
【産業上の利用可能性】
【００２６】
本考案は、浮き輪に係り、特に、特に、水の抵抗を強く受ける形状にすることにより、筋力トレーニングやリハビリトレーニングに効果的であり、海の波打際において使用しても、波に流され難い浮き輪に適用することができる。
【図面の簡単な説明】
【００２７】
【図１】本考案に係る浮き輪の一実施の形態を示す斜視図である。
【図２】本考案に係る浮き輪の一実施の形態を示す平面図である。
【図３】（ａ）は本考案に係る浮き輪の一実施の形態を示す平面断面図であり、（ｂ）は本考案に係る浮き輪の一実施の形態を示す側面断面図である。
【図４】（ａ）及び（ｂ）は本考案に係る浮き輪のフロート部を形成する２つのハーフ体形成部を示す平面図である。
【図５】本考案に係る浮き輪の使用状態を示す一実施の形態を示す斜視図である。
【符号の説明】
【００２８】
１０    浮き輪
１１    フロート部
１１ａ  フロート部
１１ｂ  フロート部
１１ｃ  フロート部
１１ｄ  フロート部
１２    中心部
１３    長軸
１４    長軸方向の中央部
１５    短軸
１６    空隙
１６ｂ  空隙
１６ｃ  空隙
１７    接合部
１８ａ  ハーフ体形成部
１８ｂ  ハーフ体形成部
１９ａ  外周縁
１９ｂ  外周縁
２０ａ  ハーフ体
２０ｂ  ハーフ体
２１ａ  内周縁
２１ｂ  内周縁
２２ａ  傾斜面部
２２ｂ  傾斜面部
２３ａ  傾斜面部
２３ｂ  傾斜面部
２４ａ  傾斜面部
２４ｂ  傾斜面部
２５    空気注入孔
２６    空隙
Ａ      水の入力
Ｂ      水の入力
Ｃ      水の入力
Ｄ      水の入力
Ｅ      水の入力
Ｆ      水の入力
Ｇ      水の入力
Ｈ      水の入力
【図１】
0003142642.tif 000003
【図２】
0003142642.tif 000004
【図３】
0003142642.tif 000005
【図４】
0003142642.tif 000006
【図５】
0003142642.tif 000007